(57)【要約】【課題】  室内の温度が上限温度と下限温度と間を行き来するチャタリング現象を防止できるようにすると共に、体感上好ましい快適な浴室暖房環境等を構築できるようにする。【解決手段】  室内へ吹き出される空気を加熱するヒーター１０と、室内から吸い込まれる空気の温度を検出して温度検出情報を出力する温度センサ２１と、温度センサ２１から温度検出情報を入力し、当該温度検出情報と温度設定情報とを比較した結果に基づいて温度制御を実行する制御部５１とを備え、制御部５１は、室内の上限温度と下限温度とが設定されると、室内の空気を加熱すると共に当該室内の温度を検出し、室内の温度が上限温度に到達すると加熱処理を停止し、所定時間経過後の室内の温度を検出し、当該室内の温度と下限温度とを比較し当該比較結果に基づいて加熱処理を実行するものである。【選択図】        図５
2007263454.tif 000002
【特許請求の範囲】
【請求項１】
室内へ吹き出される空気を加熱する加熱手段と、
前記室内の温度を検出して温度検出情報を出力する温度検出手段と、
前記温度検出手段から温度検出情報を入力し、当該温度検出情報と温度設定情報とを比較した結果に基づいて温度制御を実行する制御手段とを備え、
前記制御手段は、
前記室内の上限温度と下限温度とが設定されると、
前記室内の空気を加熱すると共に当該室内の温度を検出し、
前記室内の温度が上限温度に到達すると加熱処理を停止し、
所定時間経過後の前記室内の温度を検出し、
当該室内の温度と下限温度とを比較し当該比較結果に基づいて加熱処理を実行することを特徴とする空調装置。
【請求項２】
前記制御手段は、
前記室内の温度が下限温度以下となった場合は加熱処理を開始し、
前記室内の温度が下限温度を越えている場合は加熱処理を控えるようにしたことを特徴とする請求項１に記載の空調装置。
【請求項３】
複数の前記上限温度を有し、該上限温度を運転モードに応じて設定したことを特徴とする請求項１又は２に記載の空調装置。
【発明の詳細な説明】
【技術分野】
【０００１】
この発明は、浴室や洗面室等の室内を暖房する浴室換気乾燥暖房機や洗面室暖房機等の暖房運転モードにおける浴室温度制御に適用して好適な空調装置に関する。
【０００２】
詳しくは、室内へ吹き出す空気の温度を検出して得られる温度検出情報に基づいて温度制御を実行する制御手段を備え、室内の上限温度と下限温度とが設定されると、室内の空気を加熱すると共に当該室内の温度を検出し、室内の温度が上限温度に到達すると加熱処理を停止し、所定時間経過後の室内の温度を検出し、当該室内の温度と下限温度とを比較し当該比較結果に基づいて加熱処理を実行して、室内の温度が上限温度と下限温度と間を行き来するチャタリング現象を防止できるようにすると共に、体感上好ましい快適な浴室暖房装置等を提供できるようにしたものである。
【背景技術】
【０００３】
従来より、浴室に温風を送出して暖房や洗濯物の乾燥を行う機能を備えた浴室用の空調装置が提供されている。浴室空調装置では、電気ヒーターを風路中に配置し、ヒーターを加熱することで送風を加温して、温風として送出する構成となっている。
【０００４】
このような浴室空調装置では、例えば、乾燥運転モード時、浴室内の温度を検出し、検出温度が所定温度以上になると、安全機能が働いて、ヒーターへの通電を停止し、検出温度が所定温度未満になると、ヒーターへの通電を再開するようになされる（例えば、特許文献１参照）。
【０００５】
【特許文献１】特開２００４−３０１４８１号公報
【発明の開示】
【発明が解決しようとする課題】
【０００６】
上述の従来例に係る浴室空調装置によれば次のような問題がある。
【０００７】
ｉ．特許文献１に見られる浴室換気乾燥暖房機によれば、浴室内温度を機内に設置されたサーミスタにより照査し、浴室内温度が高すぎる場合は、ヒーターをオフし、低すぎる場合には、再度、ヒーターをオンするような制御方法を行っている。しかし、この方法の場合は、浴室内の温度がヒーターオフ温度と、ヒーターオン温度との間を行き来する形態（チャタリング現象）となり、体感上好ましくない。
【０００８】
ii．因みにヒーターのオフ温度と、そのオン温度との温度差を短く設定して、浴室内温度を一定に保つことが考えられるが、これを実現しようとした場合に、ヒーターのオフ温度と、そのオン温度との間で急激な温度変化が起こった場合に、ヒーターオン／オフ用のリレー及び、ヒーター本体にチャタリング（高速オン／オフ）が発生し、これらの電子部品の寿命の低下に結びつくおそれがある。
【０００９】
そこで、本発明は、上述の課題に鑑み創作されたものであり、室内の温度が上限温度と下限温度と間を行き来するチャタリング現象を防止できるようにすると共に、体感上好ましい快適な浴室暖房環境等を構築できるようにした空調装置を提供することにある。
【課題を解決するための手段】
【００１０】
上述の課題を解決するため、本発明に係る空調装置は、室内へ吹き出される空気を加熱する加熱手段と、室内の空気の温度を検出して温度検出情報を出力する温度検出手段と、温度検出手段から温度検出情報を入力し、当該温度検出情報と温度設定情報とを比較した結果に基づいて温度制御を実行する制御手段とを備え、制御手段は、室内の上限温度と下限温度とが設定されると、室内の空気を加熱すると共に当該室内の温度を検出し、室内の温度が上限温度に到達すると加熱処理を停止し、所定時間経過後の室内の温度を検出し、当該室内の温度と下限温度とを比較し当該比較結果に基づいて加熱処理を実行することを特徴とするものである。
【００１１】
本発明に係る空調装置によれば、加熱手段は、浴室や洗面室等の室内へ吹き出される空気を加熱する。温度検出手段は、室内の空気の温度を検出して温度検出情報を制御手段に出力する。制御手段は、温度検出手段から温度検出情報を入力し、当該温度検出情報と温度設定情報とを比較した結果に基づいて温度制御を実行する。これを前提にして、制御手段は、室内の上限温度と下限温度とが設定されると、室内の空気を加熱すると共に当該室内の温度を検出し、室内の温度が上限温度に到達すると加熱処理を停止し、所定時間経過後の室内の温度を検出し、当該室内の温度と下限温度とを比較し当該比較結果に基づいて加熱処理を実行するようになる。
【００１２】
従って、所定時間経過後の室内の温度が下限温度を越えている場合は加熱処理を控えることができ、また、所定時間経過後の室内の温度が下限温度以下となった場合は加熱処理を開始できる。
【発明の効果】
【００１３】
本発明に係る空調装置によれば、室内の空気の温度を検出して得られる温度検出情報に基づいて温度制御を実行する場合に、所定時間経過後の室内の温度が下限温度を越えている場合は加熱処理を控えることができ、また、所定時間経過後の室内の温度が下限温度以下となった場合は加熱処理を開始できるので、室内の温度が上限温度と下限温度と間を行き来するチャタリング現象を防止でき、体感上好ましい快適な浴室暖房装置等を提供できるようになる。
【発明を実施するための最良の形態】
【００１４】
以下、図面を参照しながら、この発明の実施の形態に係る空調装置について説明をする。
【００１５】
図１は、実施形態としての浴室空調装置１Ａの構成例を示す断面図である。図２及び図３は浴室空調装置１Ａの構成例を補足する図である。図１（Ａ）は、浴室空調装置１Ａを図２におけるＡ−Ａ線で切断した断面図、図１（Ｂ）は、浴室空調装置１Ａを図２のＢ−Ｂ線で切断した断面図である。
【００１６】
図１（Ａ）に示す浴室空調装置１Ａは空調装置の一例を構成し、空気を循環させる循環ファン部２と、空気を排気する換気ファン部３とを備えている。循環ファン部２は、循環手段の一例を構成し、室内へ空気又は加熱後の空気を吹き出すと共に室内から空気を吸い込むようになされる。循環ファン部２は、回転軸の向きを鉛直方向とした多翼の羽根車４と、この羽根車４を回転駆動する循環ファンモータ５と、風路を形成する循環ファンケース６とを備える。
【００１７】
循環ファンケース６には、羽根車４の軸方向に沿った下面に、循環ファン吸込口７としての開口が形成される。この循環ファンケース６には、羽根車４の接線方向に沿って吹出風路８が形成されると共に、この吹出風路８と連通した下面に循環ファン吹出口９としての開口が形成されている。
【００１８】
換気ファン部３は、回転軸の向きを鉛直方向とした多翼の羽根車１１と、この羽根車１１を回転駆動する換気ファンモータ１２と、風路を形成する換気ファンケース１３とを備える。換気ファンケース１３には、羽根車１１の軸方向に沿った下面に、換気ファン吸込口１４としての開口が形成される。また、換気ファンケース１３には、羽根車１１の接線方向に沿って排気風路１５が形成されると共に、この排気風路１５と連通した一の側面に排気口１６としての開口が形成される。
【００１９】
また、図１（Ｂ）に示す浴室空調装置１Ａは、加熱手段の一例となるヒーター１０を循環ファン部２に備えており、浴室内へ吹き出される空気を加熱するようになされる。このヒーター１０は、例えば、循環ファン吹出口９の近傍の吹出風路８に配設される。ヒーター１０には、棒状のヒーター部材に長手方向に沿って多数のフィンが取り付けられた構成の、ＰＴＣ(Positive  Temperature  Coefficient)ヒーターを使用することができる。このヒーター１０は、吹出風路８を通る空気が放熱フィンの間を通過するように、吹出風路８中に取り付けられる。
【００２０】
上述の浴室空調装置１Ａは、循環ファン部２と換気ファン部３を収容する本体ケース１７を備えている。本体ケース１７は、鉄等の金属部材で構成される。この本体ケース１７には、循環ファン部２の上側に換気ファン部３が重なる形態で、これら循環ファン部２および換気ファン部３が取り付けられる。
【００２１】
また、浴室空調装置１Ａは、排気ダクトジョイント１８ａを備える。この排気ダクトジョイント１８ａは、本体ケース１７の一の側面に、換気ファン部３の排気口１６と連通するように、当該排気口１６に取り付けられる。更に、浴室空調装置１Ａは、副吸収口１７ａと、副吸込ダクトジョイント１８ｂとを備える。副吸収口１７ａは、排気口１６の形成面以外の本体ケース１７の他の側面に形成される。この副吸込口１７ａに、副吸込ダクトジョイント１８ｂが取り付けられる。
【００２２】
また、浴室空調装置１Ａは、副吸込風路１９を備える。この副吸込風路１９は、循環ファン部２の上側に、この循環ファン部２の吹出風路８とは独立して形成される。この副吸込風路１９は、副吸込口１７ａと換気ファン吸込口１４とを連通させる。更に、浴室空調装置１Ａは、換気吸込風路形成部材２０を備える。この換気吸込風路形成部材２０は、換気ファン部３の下側に取り付けられる。この換気吸込風路形成部材２０は、本体ケース１７の下面側に換気吸込口２０ａとしての開口を有すると共に、換気吸込口２０ａと換気ファン吸込口１４を連通させる換気吸込風路２０ｂを有する。
【００２３】
図２に示す浴室空調装置１Ａは、温度検出手段の一例を構成する温度センサ２１を循環ファン吸込口７に備えている。温度センサ２１は、例えば、循環ファン吸込口７から循環ファン部２に吸い込まれる空気の温度、つまり浴室内の温度を検出する。温度センサ２１にはサーミスタが利用される。これにより、浴室３１から吸い込まれる空気の温度を検出して温度検出情報を出力することができる。
【００２４】
図３に示す浴室空調装置１Ａは、本体ケース１７の下面にフロントパネル２２を備える。フロントパネル２２は、本体ケース１７に対して着脱可能に構成される。このフロントパネル２２には、循環ファン部２の循環ファン吸込口７および換気ファン部３と連通した換気吸込口２０ａと対向して吸込口グリル２２ａが形成される。また、フロントパネル２２には、循環ファン部２の循環ファン吹出口９と対向して吹出口グリル２２ｂが形成される。
【００２５】
＜浴室空調装置の設置例＞
図４は、浴室空調装置１Ａが設置された浴室の構成例を示す断面図である。図４に示す浴室空調装置１Ａは、浴室３１の天井に設置される。浴室３１の天井パネルには、浴室空調装置１Ａの本体ケース１７が入る開口部が形成されている。浴室空調装置１Ａは、この開口部に、フロントパネル２２が露出した状態で固定される。
【００２６】
この浴室空調装置１Ａの排気ダクトジョイント１８ａには、排気ダクト３２が接続される。この排気ダクト３２は図示しない建物の外壁３３に取り付けた屋外グリル３４に接続され、浴室空調装置１Ａで浴室３１等から吸い込んだ空気を排気ダクト３２を介して屋外に排気できるようにされる。
【００２７】
また、浴室空調装置１Ａの副吸込ダクトジョイント１８ｂには、副吸込ダクト３５が接続される。この副吸込ダクト３５は例えば洗面所３６に設置された副吸込口３７に接続され、洗面所３６の空気を吸い込みできるようにされる。
【００２８】
浴室空調装置１Ａは、洗濯物等の被乾燥物を乾燥させる機能も備える。浴室３１には、被乾燥物を掛けるランドリパイプ３８が配設されている。ここで、浴室空調装置１Ａの吹出口グリル２２ｂから吹き出される空気が、浴槽３１ａから出て洗い場３１ｂに居る入浴者に直接当たると、この入浴者に寒さを感じさせることがある。このため、吹き出し方向がランドリパイプ３８側に向くように設定される。
【００２９】
浴室３１の入口には浴室ドア３９が備えられる。この浴室ドア３９には空気取入口（ガラリ）３９ａが形成され、隣接した洗面所３６等の空気を浴室３１内に取り込み可能とされている。
【００３０】
＜浴室空調装置の制御機能例＞
図５は、浴室空調装置１Ａの制御系の構成例を示すブロック図である。図５に示す浴室空調装置１Ａは、ＣＰＵ(Central  Processing  Unit)を有する制御部５１を備えている。この制御部５１に、操作部５２、循環ファンモータ５、換気ファンモータ１２、ヒーター１０および温度センサ２１が接続されている。
【００３１】
制御部５１は制御手段の一例を構成し、図示しないメモリ等に格納されたプログラムに従って、暖房運転モードを実行する。例えば、制御部５１は、温度センサ２１から温度検出情報を入力し、当該温度検出情報と温度設定情報とを比較した結果に基づいて温度制御を実行する。制御部５１は、浴室内の上限温度Ｔ１と下限温度Ｔ２とが設定されると、浴室内の空気を加熱すると共に当該浴室内の温度を検出し、浴室内の温度が上限温度Ｔ１に到達すると加熱処理を停止し、所定時間経過後の浴室内の温度を検出し、当該浴室内の温度と下限温度Ｔ２とを比較し当該比較結果に基づいて加熱処理を実行する。
【００３２】
この例では、制御部５１は、浴室内の温度が下限温度Ｔ２以下となった場合は加熱処理を開始し、浴室内の温度が下限温度Ｔ２を越えている場合は加熱処理を控え、以降、所定時間経過後の浴室内の温度を検出し、当該浴室内の温度と下限温度Ｔ２とを比較し当該比較結果に基づいて加熱処理を実行する。
【００３３】
制御部５１は、暖房運転モードの他に、換気運転モード、乾燥運転モードおよび涼風運転モードを実行する。運転モードは、入浴者等の利用者が操作部５２を操作することで選択される。制御部５１は、選択された運転モードと、温度センサ２１で検出された浴室３１内の温度とに基づいて、循環ファンモータ５、換気ファンモータ１２およびヒーター１０を制御する。
【００３４】
例えば、温度センサ２１は、温度検出信号Ｓ２１を制御部５１に出力する。制御部５１は温度検出信号Ｓ２１や操作信号Ｓ５２に基づいて循環ファンモータ５に駆動電圧Ｖ５を印加し、換気ファンモータ５に駆動電圧Ｖ１２を印加し、ヒーター１０に駆動電圧Ｖ１０を印加する。
【００３５】
操作部５２は、浴室空調装置１Ａと独立したリモートコントロール装置で、例えば、図４に示したように、浴室３１に隣接した洗面所３６の壁面等に取り付けられ、制御部５１とは電気ケーブル等により接続される。操作部５２は、例えば、暖房運転モード選択時に、モード設定を指示する操作信号Ｓ５２を制御部５１に出力する。
【００３６】
図６は、操作部５２の構成例を示す正面図である。図６に示す操作部５２には、表示部５３と、各種操作ボタン等が配設されている。操作ボタンとして、暖房運転モードを選択する暖房ボタン５４と、乾燥運転モードを選択する乾燥ボタン５５と、換気運転モードを選択する換気ボタン５６と、涼風運転モードを選択する涼風モードボタン５７とがある。なお、選択された運転モードを視認させるため、操作部５２には、各ボタンに対応してＬＥＤ(Light  Emitting  Diode)等の発光素子５８も配設されている。
【００３７】
続いて、浴室空調装置１Ａにおける暖房運転モードの制御動作例について説明する。
【００３８】
図７は、浴室３１の温度制御に基づく温度検出例を示すタイムチャートである。図７に示す温度検出例において、縦軸は浴室３１の設定温度Ｔｘ［℃］である。横軸は、ヒーター１０をオンした後の経過時間ｔｘ［ｈｒ］である。図中の曲線は浴室内の温度の変化例を示す温度検出曲線Ｉである。温度検出曲線Ｉは、温度センサ２１から出力された温度検出信号Ｓ２１をデジタル処理して得られたものである。
【００３９】
この例では浴室３１における暖房運転モード時の上限温度Ｔ１が設定され、その下限温度Ｔ２が設定される（Ｔ２＜Ｔ１）。上限温度Ｔ１は、ヒーターオフ温度として設定され、下限温度Ｔ２は、ヒーターオン温度として各々設定される。この例で、入浴中に暖房運転（ヒーターオン）を実行する場合に、常に、温度センサ２１により浴室３１内の温度が監視され、ヒーターオフ温度Ｔ１に到達したら、ヒーター１０への駆動電圧Ｖ１０をオフするようになされる。
【００４０】
この例では、その後の浴室３１内の温度は、断続的に、温度が監視される。そのための温度監視時間が設定される。例えば、浴室３１内の温度がヒーターオフ温度Ｔ１に到達した時点から、所定時間（例えば３０秒）後に、再び、浴室３１内の温度を検出する。この時点で浴室３１内の温度がヒーターオン温度Ｔ２を上回っていたら何もしない。反対に、この時点で浴室３１内の温度がヒーターオン温度Ｔ２を下回っていたら、ヒーター１０への駆動電圧Ｖ１０を印加（オン）するようになされる。
【００４１】
以下、浴室３１内の温度がヒーターオフ温度Ｔ１に到達した時点から、所定時間（例えば３０秒）を経過する毎に、再び、浴室３１内の温度を検出する処理を繰り返し、浴室３１内の温度とヒーターオン温度Ｔ２とを比較して、この比較結果に基づいてヒーター１０のオン／オフ制御を実行する。これにより、ヒーター１０の制御用のリレーの駆動回数を減らすことができるので、従来方式に比べてリレー消費電力を低減できるし、チャタリングを防止できるようになる。
【００４２】
図８は、暖房運転モード時の制御動作例を示すフローチャートである。この実施例では、制御部が暖房運転時の浴室温度制御を実行する。この制御では、ヒーター１０の入切制御を実行して、暖房運転時に浴室内をほぼ所定の温度範囲に保つことができる。運転が確定したら、暖房運転モードの”運転開始動作”の手順に従って運転を開始する。
【００４３】
これらを動作制御条件にして、まず、図７に示すフローチャートのステップＳＴ１で、暖房ボタン５４が押され、暖房オンとされることで、制御部５１は、暖房運転モードの制御動作を開始する。
【００４４】
次に、ステップＳＴ２で、制御部５１は、循環ファンモータ５に駆動電圧Ｖ５を印加（通電）し、またヒーター１０に駆動電圧Ｖ１０を印加（通電）する。この場合、循環ファン部２の羽根車４が回転駆動され、フロントパネル２２の吸込口グリル２２ａから循環ファン部２の循環ファン吸込口７に浴室３１内の空気が吸い込まれる。そして、循環ファン吸込口７から吸い込まれた空気は、吹出風路８によって循環ファン吹出口９へと流れる。そして、ヒーター１０が通電されると、吹出風路８を通る空気が加熱され、フロントパネル２２の吹出口グリル２２ｂから浴室３１内に、温風が吹き出される。これにより、浴室３１内の温度は徐々に上昇していく。
【００４５】
次に、ステップＳＴ３で、制御部５１は吸込み口温度を監視する。例えば、温度センサ２１の検出出力に基づいて、浴室３１内の温度が上限温度（ヒーターオフ温度）Ｔ１、例えば４０℃に達したか否かを判定（検出）する。このとき、温度センサ２１の検知温度は、浴室温度制御用の閾値Ｔ１（例えば４０℃）と比較される。その結果、検知温度が閾値Ｔ１＝４０℃に到達した時点でヒーターオフ制御に移行するようになされる。
【００４６】
この例では、浴室３１内の温度が上限温度Ｔ１に達したとき、ステップＳＴ４に移行して、制御部５１は、ヒーター１０への通電を瞬時に停止（オフ）する。なお、ヒーター１０をオフした後も、循環ファン部２の動作は継続させる。このとき、循環ファン部２は、ヒーターオン時よりも、回転数を低下させる。これにより、浴室３１内に吹き出される空気の加熱が停止され、浴室３１内の温度は徐々に下降していくようになる。
【００４７】
次にステップＳＴ５で、制御部５１はヒーターオフの状態で所定時間（例えば３０秒間）待つ。この３０秒間は、温度照査周期であって、制御部５１に任意に設定される。この３０秒間のヒーターオフ期間を経た後にヒーターオン制御に移行するようになされる。
【００４８】
この例では、３０秒間のヒーターオフ期間を経た後、再び温度を照査すべく、ステップＳＴ６に移行して、制御部５１は、温度センサ２１の検出出力に基づいて、浴室３１内の温度が下限温度（ヒーターオン温度）Ｔ２、例えば３５℃以下になったか否かを判定（検出）する。浴室３１内の温度が下限温度Ｔ２以下になっていない場合は、ヒーター１０をオフしたままとし、監視を続けるためにステップＳＴ５に戻る。これは温度センサ２１の検知温度が浴室一定温度制御用の閾値Ｔ２（３５℃）以上の場合は、ヒーター１０をオンせずに、再度、３０秒間だけヒーター１０のオフを実行するためである。
【００４９】
浴室３１内の温度が下限温度Ｔ２以下になった場合は、ステップＳＴ７に移行して、制御部５１は、ヒーター１０への通電を再開（オン）する。このとき、ヒーター１０のオフからオンへの制御は、ヒーター１０のオン動作が確定したタイミングで実行する。例えば、ヒーター１０のオフからオンへの制御は、ヒーター１０のオン又はオフ制御用のリレーの耐久性を維持するために、ヒーター１０のオフが確定した後、温度センサ２１から出力される最初のゼロクロス照査信号（立ち上がり）を検知してから、数ｍsec待機して、ヒーター１０の電流波形のピーク値を避けたタイミングで実行する。これにより、浴室３１内に吹き出される空気の加熱が再開され、浴室３１内の温度は徐々に上昇していく。
【００５０】
このステップＳＴ７の後は、ステップＳＴ３に戻り、制御部５１は、以下、上述したと同様の動作を繰り返すようになされる。つまり、ヒーターオフ後の３０秒毎の温度照査を繰り返し、ヒーター１０のオン／オフ制御を実行する。これにより、チャタリングを防止できるようになる。なお、暖房運転モードの停止が確定したら、暖房運転モードの”運転終了動作”の手順に従い、運転を終了する。また、ヒーターパージは、ヒーター１０を通電中及び、ヒーターを停止する１０秒以内に運転停止が確定した場合のみ実行する。
【００５１】
このように、実施例に係る浴室空調装置１Ａによれば、室内へ吹き出す空気の温度を検出して得られる温度検出情報に基づいて温度制御を実行する場合に、制御部５１は、浴室内の上限温度Ｔ１と下限温度Ｔ２とが設定されると、浴室内の空気を加熱すると共に当該浴室内の温度を検出し、浴室内の温度が上限温度Ｔ１に到達すると加熱処理を停止し、所定時間経過後の浴室内の温度を検出し、当該浴室内の温度と下限温度Ｔ２とを比較し当該比較結果に基づいて加熱処理を実行するようになる。
【００５２】
従って、所定時間経過後の浴室内の温度が下限温度Ｔ２を越えている場合は加熱処理を控えることができ、また、所定時間経過後の浴室内の温度が下限温度Ｔ２以下となった場合は加熱処理を開始できる。これにより、浴室内の温度が上限温度Ｔ１と下限温度Ｔ２と間を行き来するチャタリング現象を防止でき、体感上好ましい快適な浴室暖房装置等を提供できるようになる。
【００５３】
これにより、チャタリング現象と伴うことなく、上限温度Ｔ１，下限温度Ｔ２の温度差を短く設定して、浴室内温度を一定に保つ室内一定温度制御を実行できるようになる。なお、浴室一定温度制御用の閾値Ｔ１，Ｔ２及び、ヒーター１０をオフする時間の３０秒、ヒーターオフ時のファン回転数については、現段階では暫定値である。プログラムを最適に設計することで容易に変更が可能なようになされている。
【００５４】
なお、前述のヒーター１０のオン／オフ制御は暖房運転モードではなく、乾燥運転モード時に適用することもできる。乾燥運転モードでは、ヒーター１０の上限温度Ｔ１を例えば４５℃で、下限温度を４０℃として、暖房運転モードとは異なった所定の温度に設定してもよい。さらに、複数の暖房運転モードボタンを操作部５２に設けて、上限温度Ｔ１を変えることにより、入浴前の予備暖房時の上限温度Ｔ１を例えば４０℃、下限温度Ｔ２を３５℃にして強暖房として利用し、入浴時の入浴中暖房では、上下限温度を強暖房より低い所定の温度（例えば上限温度Ｔ１を３５℃、下限温度Ｔ２を３０℃）として弱暖房として利用できるようにしてもよい。このように運転モードに応じて上限温度Ｔ１、下限温度Ｔ２を設定して、室内温度の調節を行うことにより、室内を運転モードに応じた最適な温度状態にすることができる。さらに、上限温度Ｔ１と下限温度Ｔ２との差を５℃に設定したが、これよりも、大きくとも、少なくともよく、本範囲に限られるものではない。
【００５５】
また、浴室内の温度検出は浴室内から吸い込まれる空気を検出したが、操作部５２内部に温度センサ２１を設けてもよく、浴室内へ吹き出される空気の温度を検出するものでもよい。
【産業上の利用可能性】
【００５６】
本発明は、浴室や洗面室を暖房する浴室換気乾燥暖房機や洗面室暖房機等の暖房運転モードにおける浴室温度制御に適用して極めて好適である。
【図面の簡単な説明】
【００５７】
【図１】（Ａ）及び（Ｂ）は、浴室空調装置１Ａの内部構成例を示す断面図である。
【図２】浴室空調装置１Ａのフロントパネル脱着時の構成例を示す平面図である。
【図３】浴室空調装置１Ａのパネル分解時の構成例を示す斜視図である。
【図４】浴室空調装置１Ａが設置された浴室の構成例を示す断面図である。
【図５】浴室空調装置１Ａの制御系の構成例を示すブロック図である。
【図６】浴室空調装置１Ａの操作部５２の構成例を示す正面図である。
【図７】暖房運転モード時の浴室３１の温度検出例を示すタイムチャートである。
【図８】浴室空調装置１Ａの暖房運転モード時の制御動作例を示すフローチャートである。
【符号の説明】
【００５８】
１Ａ・・・浴室空調装置、２・・・循環ファン部（循環手段）、３・・・換気ファン部、４，１１・・・羽根車、５・・・循環ファンモータ、６・・・循環ファンケース、７・・・循環ファン吸込口、８・・・吹出風路、９・・・循環ファン吹出口、１０・・・ヒーター（加熱手段）、１２・・・換気ファンモータ、１３・・・換気ファンケース、１４・・・換気ファン吸込口、１５・・・排気風路、１６・・・排気口、１７・・・本体ケース、１７ａ・・・副吸込口、１８ａ・・・排気ダクトジョイント、１８ｂ・・・副吸込ダクトジョイント、１９・・・副吸込風路、２０・・・換気風路形成部材、２０ａ・・・換気吸込口、２０ｂ・・・換気吸込風路、２１・・・温度センサ（温度検出手段）、２２・・・フロントパネル、２２ａ・・・吸込口グリル、２２ｂ・・・吹出口グリル、３１・・・浴室、３２・・・排気ダクト、３４・・・屋外グリル、３５・・・副吸込ダクト、３６・・・洗面所、３７・・・副吸込口、３８・・・ランドリパイプ、３９・・・浴室ドア、５１・・・制御部（制御手段）、５２・・・操作部
【図１】
2007263454.tif 000003
【図２】
2007263454.tif 000004
【図３】
2007263454.tif 000005
【図４】
2007263454.tif 000006
【図５】
2007263454.tif 000007
【図６】
2007263454.tif 000008
【図７】
2007263454.tif 000009
【図８】
2007263454.tif 000010